(57)【要約】      （修正有）【課題】ＩＣカードが紛失したり盗難等で所有者の意志に反して使われるのを防止するため、使用後、一時使用停止し、再使用時に一時使用停止を解除できるようにする。紛失、盗難等の判明時は、使用不能の指令でカードの使用を停止させ、暗証番号等の入力エラーの時はカードの使用の可否を目視できるようにする。暗証番号等を忘れたり、不確実な気憶の場合、使用不能の指令でカードの使用を停止させるようにする。【解決手段】通常使用するカードの他にそれをコントロールできる保全カードを用意する。保全カードで通常使用するカードを一時使用停止したり又解除したり、使用不能にしたりする指令を出し制御する。又暗証番号等入力時のエラーの際は、ＩＣチップと小型で細いか薄型のヒューズを内蔵し連結して、過大電流が流れてヒューズが切れかつその部分が変色して目視可能にする。又使用不能の指令を出した時もヒューズが切れ外部から目視可能にする。【選択図】図−１
2005128991.tif 000002
【特許請求の範囲】
【請求項１】
カードを紛失したり、盗難にあったり、それ以外で所有者の意志に反して使われたりする場合等、使用されて実害を受けることのないように予防措置として、通常使用するカード（メインのカード）の他に保全カードを用意する。メインのカードを使った後、保全カードでまず暗証番号等を入力し、さらにメインのカードの使用を一時停止する指令を出しておく。再びメインのカードを使用する場合は保全カードで暗証番号等を入力し、メインのカードと対応して使用解除指令を出してからメインのカードを使用する。暗証番号等入力の際、エラーをした場合、カードに内蔵したＩＣチップとヒューズの間で過大電流が流れてヒューズが切れる構造にしておき、ヒューズが切れてその熱でその部分が変色する。又暗証番号等忘れるか、不確定の場合、又盗難、紛失が明確な場合保全カードに決められた数字、文字等を入力することで瞬時にメインのカードも保全カードも永久に使用不能にできる。その時もヒューズの内蔵により、ヒューズが切れて変色する。保全カードの現在の使用状況が分かり、又メインのカードの中にもヒューズを内蔵して同様な構造にしておくと、暗証番号等入力の際のエラーによりヒューズが切れ、変色し、現在の使用状況が判別できる。
【発明の詳細な説明】
【発明の詳細な説明】
〔発明の属する技術分野〕
【０００１】この発明は通常使用のカードの他にそれの保全カードを作り、一時停止、解除、使用不能などの指令で通常使用のカードをコントロールできるようにし、同時に、ＩＣカード内にＩＣチップと小型かつ細いか薄型のヒューズを内蔵し、エラーするとヒューズが切れ、カードの使用状況が分かるようにする。それらにより、紛失、盗難、それ以外の不正使用に対するセキュリティ対策となる。
〔従来の技術〕
【０００２】  カードの紛失、盗難、それ以外の所有者の意志に反しての使用等に対する防止措置としては、発行元に連絡して使用できない方法をとってもらう。又カードの使用時、暗証番号等の入力が何回か間違えると使用不能になるが、それが判別できなかった。
〔発明が解決しょうとする課題〕
【０００３】  カードの紛失、盗難、それ以外の所有者の意志に反して使われる場合等あるが、予防措置として、
１．そのカードの使用を一時停止できないか。又解除して使用可能にできないか。又永久に使用不能にできないか。
２．暗証番号等忘れたり、不確実の場合、永久に使用不能にできないか。
３．暗証番号等入力の際、エラーをするとカードの使用が不能になる場合があるが、使用可能か否か判別する方法はないか。
４．ＩＣカード内に、ＩＣチップと同様に、小型かつ細いか薄型のヒューズを内蔵できないか。
〔課題を解決するための手段〕
【０００４】  通常使用するメインのカードをコントロール可能な保全カードを用意する。保全カードはメインのカードをコントロールするためのものであり、メインのカードとしては使用できない。メインのカードを使用した後、保全カードで一時使用停止（ロック）の指令を出しておくと、その後、メインのカードだけでは使用できなく、保全カードで解除指令を出してからメインのカードが使用できる。こういう使い方をすれば、所有者の知らない間に発生した紛失、盗難、それ以外の所有者以外の不正使用の場合でも予防できる。又紛失、盗難、それ以外の場合でも即、保全カードで一時停止か使用不能の指令を出しておけばメインのカードの使用は防げられる。メインのカードも保全カードも暗証番号等の入力が必要であり、ＩＣチップと同様に小型かつ細いか薄型のヒューズを内蔵し、入力時のエラーの発生で複数内蔵してあるヒューズが順次切れてかつ変色していけばカードの使用状況も分かる。又保全カードで使用不能の指令を出した時、使用状況が分かるように内蔵したヒューズが切れるようにしておく。
その指令でメインのカードも使用不能のヒューズが切れ、変色して目視できうる。
カードの使用電流も小さいので、ヒューズも小型かつ相当細いか相当薄型のものとなり、エラー時に流れる電流もそれに対応する。
〔発明の実施の形態〕
【０００５】  メインのカードに対応して保全カードを作る。保全カードはＩＣチップと小型かつ細いか薄型のヒューズを内蔵し、かつ接点（接触型ＩＣカードの場合）、か又はアンテナ（非接触型ＩＣカードの場合）で構成する。これらを連結して固定しカード状にする。図−２、図−３
保全のシステムとして、
イ．メインカードの紛失、盗難、それ以外の不正使用は所有者が分らないうちに発生することが多いため、メインのカードの使用後に保全カードで一時使用停止（ロック）を指令しておく。その後メインのカードを使う時、その前に保全カードでロックを解除する指令をしてからでないとメインのカードが使えない。
ロ．又メインカードの紛失、盗難、それ以外の不正使用に気付いたら、即、保全カードで一時停止か使用不能の予防をしておく。この場合、受入れ側のリーダ／ライタの常時使用（２４時間体制で）が可能なことが望しい。
ハ．メインのカード、保全カード使用時には必ず暗証番号等の入力が必要となる。ＩＣチップと小型かつ細い薄型ヒューズを連結し、入力エラー時に過大電流が流れヒューズが切れ、変色するような方法をとっておけばカードの使用現況が分かるし、セキュリティ上有効である。又使用不能の指令を出した時は、保全カードも、メインのカードも使用した時、ヒューズが切れて、外部から目視できる。
〔実施例〕
【０００６】  図−１は保全カードの構造の概略を図化したものである。真中の基盤材（１）に半導体チップ（４）と複数の小型でかつ細いか薄型のヒューズ１（５）をセットする。接触型のカードには接点（８）を加え、非接触型のカードにはアンテナ（７）を内蔵する。又両用でも可能である。さらにそれらを接続して両側のカバー材（２．３）で覆う。カバー材（２）は内側のヒューズ１（５）、ヒューズ２（６）が目視できるようにする。又接点（８）部分はカバー材（２）から表側に現われるように接点の窓（９）をあける。
半導体チップ（４）には、メインのカードに対応している保全カードは暗証番号等の入力で使用可能になり、メインのカードに対して一時使用停止の指令を出したり、それを解除する指令を出したり、又、使用不能になる指令等判断できるように組込む必要がある。又暗証番号等を忘れたり不確実の場合、特別な数字、記号等で使用不能の指示を出せるようにする。同時に内蔵のヒューズ２（６）が切れ、かつ変色するような構造にすると外から目視可能である。暗証番号等の入力時にエラーが発生した場合、ヒューズ１（５）が切れかつ変色し、カードの使用現況が目視できる。これは保全カードばかりでなくメインのカードにも応用できる。
〔発明の効果〕
【０００７】  メインのカードの使用後に保全カードを用いて、暗証番号等入力した後、一時使用停止の指令を出しておくと、メインのカードは使えない。保全カードで暗証番号等入力後一時使用停止の解除指令を出してから、メインのカードが使える。保全カードで暗証番号等入力後、使用不能を指令すると、メインのカードを使用した時、ヒューズ２（６）が切れ、変色し、目視される。又保全カード使用時に暗証番号等の入力エラーをすると、内蔵のヒューズ１（５）がエラーの毎に順次切れ、そこが変色していく。これはメインのカードでも同様に利用できうる。
【図面の簡単な説明】
【図−１】保全カードの構造
【図−２】保全カードの概略図（接触型ＩＣカードの場合）
【図−３】保全カードの概略図（非接触型ＩＣカードの場合）
【符号の説明】
１．基盤材
２．カバー材
３．カバー材
４．半導体チップ
５．ヒューズ１（暗証番号等の入力エラーで切れる）
６．ヒューズ２（使用不能で切れる）
７．アンテナ
８．接点
９．接点の窓
【図−１】
2005128991.tif 000003
【図−２】
2005128991.tif 000004
【図−３】
2005128991.tif 000005